(57)【特許請求の範囲】
【請求項１】
開閉自在の避難用扉スクリーンを備えた防火用スクリーンにおいて、扉スクリーン閉鎖時には、該扉スクリーンの戸先側部位にシート重合部が形成されており、該扉スクリーンを戸先側端部の上端部位を支点として開放することで避難用開口部を形成するように構成されており、該扉スクリーンの該上端部位を、該扉スクリーンとの間で該シート重合部を形成するスクリーンに対して、扉スクリーンの開き角度に合せて傾斜状に縫製して縫製部を形成し、扉スクリーンの開放時に該縫製部の一点に負荷が集中することがないように構成したことを特徴とする防火用スクリーン。
【発明の詳細な説明】
【０００１】
【発明の属する技術分野】
本発明は、避難用開口部を備えた防火用スクリーンの構造に関するものである。
【０００２】
【従来の技術】
現在、シートシャッターを防火シャッターとして採用しようとする試みがなされている。防火用シートシャッターにおいては避難用開口部を設ける必要があることから、防火用スクリーンに開閉自在の扉スクリーンを形成して避難用開口部を構成している。このような扉スクリーンにおいては、防火・遮煙性能を確保するべく、扉スクリーンの戸先側と、本体スクリーンとの間に重合部を形成するようにしている。
【０００３】
避難時には、扉スクリーンを手で押して開放することで避難用開口部を形成するが、この時、戸先側端部の上端部位を支点として扉スクリーンは開放されるため、この部位に負荷が集中することになっていた。したがって、図８（ａ）に示すような従来のものでは、糸のほつれ、スクリーンの破れ等が発生する惧れがあった。
【０００４】
【発明が解決しようとする課題】
本発明は、上記不具合を解決するために創案されたものである。
【０００５】
【課題を解決するための手段】
かかる課題を達成するために本発明が採用した技術手段は、開閉自在の避難用扉スクリーンを備えた防火用スクリーンにおいて、扉スクリーン閉鎖時には、該扉スクリーンの戸先側部位にシート重合部が形成されており、該扉スクリーンを戸先側端部の上端部位を支点として開放することで避難用開口部を形成するように構成されており、該扉スクリーンの該上端部位を、該扉スクリーンとの間で該シート重合部を形成するスクリーンに対して、扉スクリーンの開き角度に合せて傾斜状に縫製して縫製部を形成し、扉スクリーンの開放時に該縫製部の一点に負荷が集中することがないように構成したことを特徴とする。防火用スクリーンをこのように構成することで、扉スクリーンの開放によるスクリーンの破れ、糸のほつれが生じないようになっている。
【０００６】
防火用スクリーンは一枚のシートから構成してもよく、あるいは複数枚のシートを縫着することで構成してもよい。例えば、防火用スクリーンを幅方向端部同士を互いに重合させてなる二つのシート体から構成し、該重合部位を戸先側として一方のシート体を開放することで避難用開口部を形成する。
【０００７】
【発明の実施の形態】
本発明の実施の形態を図面に基づいて説明する。図１（ａ），（ｂ）は防火用シートシャッターの正面図、平面図、図２は防火スクリーンの正面図および側面図である。建物内部の防火区画部位の上方には左右方向に延出する巻取シャフト１が軸架されており、該部位の左右の壁面には耐火シートからなるスクリーン２の幅方向端部を案内するガイドレール３が対向状に立設されている。スクリーン２の幅方向端部には高さ方向に所定間隔を存して複数の抜け止め部材２ａが設けてあり、抜け止め部材２ａをガイドレール３内に位置させることで、スクリーン２がガイドレール３から抜け出すことを防止している。
【０００８】
スクリーン２は、第一シート体４と第二シート体５とから構成されている。第一シート体４は、建物開口部の寸法に対応する方形状のシートの正面視右側部位を下端から上方に向かって長方形状に切り欠くことで形成されており、次に述べるような形状を有している。
【０００９】
第一シート体４は、開口全高を備えた一側（図示では左側）の縦辺４ａと、開口全幅を備えた上辺４ｂと、上辺４ｂの他端側（図示では右側）より下方に向かって所定寸法延出してなる他側（右側）の縦辺４ｃと、縦辺４ｃの下端より幅方向に所定寸法延出してなる切り欠き部横辺４ｄと、切り欠き部横辺４ｄの延出端部より下方に向かって延出してなる切り欠き部縦辺４ｅと、一側（左側）の縦辺４ａの下端と切り欠き部縦辺４ｅの下端を連結するように幅方向に延出してなる下辺４ｆとを備えている。
【００１０】
第二シート体５は、該長方形状の切り欠き部より若干大きい面積を有する長方形状のシートからなり、上辺５ａ、下辺５ｂ、一側（図示では左側）の縦辺５ｃ、他側（図示では右側）の縦辺５ｄとを備えている。
【００１１】
第二シート体５は、第一シート体４に対して、該長方形の切り欠き部を覆うように縫着されている。第二シート体５の上辺５ａは第一シート体４の切り欠き部横辺４ｄに重合逢着されており、第二シート体５の一側の縦辺５ｃの上端部分は第一シート体４の切り欠き部縦辺４ｅに重合逢着されている。第一シート体４の一方の幅方向端部を形成する切り欠き部縦辺４ｅと、第二シート体の一方の幅方向端部を形成する縦辺５ｃとが重合されることで重合部位Ｏが形成されている。
【００１２】
第一シート体４、第二シート体５は共に、幅方向に延出する複数の単位シート４０，５０をそれぞれ上下端縁同士を重合させて縫着して上下方向に連設することで形成されている。そして、二つのシート体４，５を逢着してスクリーン２を形成した際に、単位シート４０，５０の重合部位４００，５００が、第一シート体４、第二シート体５との間で高さ方向に互いに異なるように構成されている。
【００１３】
スクリーン２の下端（すなわち、第一シート体４と第二シート体５の下端）には、開口幅全体に延出する座板６が設けてある。座板６は、立ち上がり部７とフラット部８とから略逆Ｔ形状の断面を有しており、立ち上がり部７を介してシート下端に連結され、開口部全閉時にはフラット部８の下面が床面に当接するようになっている。
【００１４】
第一シート体４、第二シート体５の下端は共に立ち上がり部７を介して座板６に装着されているが、第一シート体４の下辺４ｆが装着された座板の立ち上がり部７は、重合部位Ｏより幅方向に所定寸法だけフラット部８から分離されており、ウエイトバー９を構成している。すなわち、実施の形態のものでは、座板６は開口幅全体に延出するフラット部８とウエイトバー９に対応する部位を切り欠いてなる立ち上がり部７とから形成されており、第一シート体４の下端において重合部位Ｏより所定長にわたって設けられたウエイトバー９の下端は座板６とは独立している。
【００１５】
第一シート体４の下端部の一部は、座板６から独立したウエイトバー９が装着されることで自由端となっており、避難時には第一シート体４の重合部側を押しながら重合部位Ｏを戸先側として第一シート体４を開放させて脱出するように構成されている。すなわち第一シート体４の一部が扉スクリーンＤを形成するようになっている。
【００１６】
図３はスクリーン下端部の平面図および正面図である。ウエイトバー９は基端側に設けた板ばね１０を介して、第一シート下端の座板の立ち上がり部７に連結されている。一方、ウエイトバー９の戸先側（重合部位側）の端部は第二シート体５の下端の座板の立ち上がり部７に対して着脱自在に磁着されている。
【００１７】
図４はスクリーン下端部の一方の端部の部分拡大図である。座板６のフラット部８は開口部幅と略同じ長さ寸法を有しており、フラット部８の左右方向端部には座板振れ止め材１１が装着されている。座板振れ止め材１１は上下方向に立ち上がり状で、開口幅方向に延出する板材であり、ガイドレール溝内に延出可能な厚さに形成されている。座板振れ止め材１１は座板６の振れを規制すると共に、開口部下端左右端部位を閉塞することで、かかる部位における防火・遮煙機能を良好にしている。
【００１８】
ウエイトバー９の戸先側（重合部位側）の端部は第二シート体５の下端の座板の立ち上がり部７に対して着脱自在に構成されている。図５、図７に示すように、第二シート体５側の立ち上がり部７の面部には装着プレート１２を介して磁石１３が設けてある。第一シート体下端のウエイトバー９の戸先側端部には、立ち上がり部１４ａと立ち上がり部１４ａの下端より水平状に延出する片１４ｂとから断面視略Ｌ形状を有するカバー体１４が設けてあり、カバー体１４の立ち上がり部１４ａに磁着プレート１５が装着されている。
【００１９】
ウエイトバー９の戸先側端部は、ウエイトバー戸先側に設けたスチール製の磁着プレート１５を介して第二シート体側の磁石１３に係着する。図５、図６に示す正面図から明らかなように、カバー体１４は第一シート４の戸先側端部より内側に位置して設けてあり、第一シート４の戸先側端部より突出しないように構成されている。カバー体１４を第一シート体戸先側端部内に納めたことで、避難時に避難者が誤って足をカバー体１４にぶつけてしまうようなことがない。
【００２０】
図７に示すように、装着プレート１２の下端部は斜め上方に向かって折曲されており、斜め上方に延出する案内片１２ｂを形成している。装着プレート１２の立ち上がり部１２ａと磁石１３との間には２枚の調整プレート１６ａ，１６ｂがビス１７を介して着脱自在に介装されている。調整プレート１６ａ，１６ｂの装着部位を変更することで、シート体４，５の上下方向に延出する面の位置を変えることなく、カバー体１４の水平状延出片１４ｂの延出端部と、装着プレート１２の立ち上がり部１２ａと案内片１２ｂとの会合部との取り合い位置を変更できる。
【００２１】
すなわち、図７（ａ）のものでは、２枚の調整プレート１６ａ，１６ｂが共に立ち上がり部１２ａに対して磁石側に位置しており、水平状延出片１４ｂの延出端部は浅く前記会合部に係着されている。図７（ｂ）のものでは、２枚の調整プレート１６ａ，１６ｂが立ち上がり部１２ａを挟み込むようにして装着されており、水平状延出片１４ｂの延出端部は深く前記開口部に係着去れている。図７（ｂ）に示す方が、図７（ａ）に示すものに比べて扉スクリーンＤの耐風圧強度が大きくなっている。このように、調整プレート１６ａ，１６ｂの装着位置を変えることで扉スクリーンの開閉力を調整できるようになっている。
【００２２】
図８は、第一シート体４（扉スクリーンＤ）の戸先側端部の上端部位（図１における符号Ａ参照）の縫着状態を示す図であり、（ａ）は従来のもの、（ｂ）は本実施の形態に係るものを示している。避難時には、扉スクリーンＤを手で押して開放することで避難用開口部を形成するが、この時、戸先側端部の上端部位を支点として扉スクリーンＤは開放されるため、この部位に負荷が集中することになっていた。したがって、図８（ａ）に示すような従来のものでは、糸のほつれ、スクリーンの破れ等が発生する惧れがあった。
【００２３】
図８（ｂ）に示すものでは、扉スクリーンＤの開き角度に合わせて傾斜状に縫製を行っている。したがって、縫製部の一点に負荷が集中するようなことがなく、扉スクリーンＤの開放によるスクリーンの破れ、糸のほつれが生じないようになっている。
【００２４】
図９は扉スクリーンを二つ設けた防火用スクリーンを示す正面図である。正面視右側の扉スクリーンＤ１は上述した扉スクリーンＤの構成と同様であるが、正面視左側の扉スクリーンＤ２は異なる構成を有している。第一シート体４には上下に延出すると共に下端部まで達するスリット１８が形成されており、スリット１８を挟んで一方の部位が扉スクリーンＤ２を形成しており、扉スクリーンＤ２の下端部位にはウエイトバー９０が装着されている。ウエイトバー９０の構成についてはウエイトバー９の構成と同様である。
【００２５】
スリット１８を閉塞するように補助スクリーン１９が縫着されており、補助スクリーン１９によって重合部Ｏが形成されている。補助スクリーン１９は複数の単位シート１９ａを上下に縫着連設することで形成されており、単位シート４０，１９ａの重合部位４００，１９０が、第一シート体４、補助スクリーン１９との間で高さ方向に互いに異なるように構成されている。
【図面の簡単な説明】
【図１】（ａ）は防火用シャッターの正面図、（ｂ）は防火用シャッターの平面図である。
【図２】 防火用スクリーンの正面図および側面図である。
【図３】防火用スクリーン下端部を示す部分正面図および平面図である。
【図４】防火用スクリーンの下端部の右側端部の部分正面図および側面図である。
【図５】第一シート体と第二シート体の重合部位の下端側部第一シート体と第二シート体の重合部位の下端側を示す部分正面図および縦断面図である。
【図６】第一シート体と第二シート体の重合部位の下端側部第一シート体と第二シート体の重合部位の下端側を示す部分正面図および平面図である。
【図７】ボトムバーと座板の立ち上がり部との係着関係を示す縦断面図であり、（ａ）は装着プレートと磁石との間に調整プレートを二枚設けたもの、（ｂ）は装着プレートと磁石との間に調整プレートを一枚設けたものを示している。
【図８】扉スクリーンの戸先側端部の上端の縫着部位を示す図であり、（ａ）は従来例、（ｂ）は本実施の形態のものである。
【図９】他の実施の形態に係る防火用スクリーンの正面図および平面図である。
【符号の説明】
２  スクリーン
４  第一シート体
５  第二シート体
４０  単位シート
５０  単位シート
４００  単位シート重合部位
５００  単位シート重合部位
Ｄ    扉スクリーン
Ｏ    重合部位
【図１】
0003692501.tif 000002
【図２】
0003692501.tif 000003
【図３】
0003692501.tif 000004
【図４】
0003692501.tif 000005
【図５】
0003692501.tif 000006
【図６】
0003692501.tif 000007
【図７】
0003692501.tif 000008
【図８】
0003692501.tif 000009
【図９】
0003692501.tif 000010